(57)【特許請求の範囲】
【請求項１】
移動局に意図した入呼を代替端末に再ルート決めする方法において、上記入呼に対するルート決め指令を要求する第１の信号であって、現在上記移動局をサービスしている移動交換局／ビジタロケーションレジスタ（ＭＳＣ／ＶＬＲ）内で受信されるような第１の信号を受けるステップを具備しており、
更に、特徴として、
上記ＭＳＣ／ＶＬＲで、上記移動局が現在位置している特定のサービスエリアを決定するステップと、
上記ＭＳＣ／ＶＬＲで、上記特定のサービスエリアに対して異なったルート決め処理が適用されるべきかどうかを決定するステップと、
上記特定のサービスエリアに割り当てられ、かつ上記代替端末を表すルート決めアドレスを取り出し、
上記入呼を上記代替端末にルート決めさせることを指令する第２の信号を上記ＭＳＣ／ＶＬＲにより送出するステップであって、上記第２の信号は上記ルート決めアドレスを含む上記送出するステップと、を具備する方法。
【請求項２】
請求の範囲第１項記載の方法において、上記特定のサービスエリアが、ローカルアクセストランスポートエリア（ＬＡＴＡ）、移動交換局（ＭＳＣ）エリア、ロケーションエリア（ＬＡ）、またはセルエリア（ＣＡ）、からなる群から選択された移動サービスエリアである方法。
【請求項３】
請求の範囲第１項記載の方法において、上記代替端末はアナウンスマシンを有する方法。
【請求項４】
請求の範囲第１項記載の方法において、上記代替端末はオペレータ端末を有する方法。
【請求項５】
請求の範囲第１項記載の方法において、上記代替端末は構内交換機（ＰＢＸ）を有する方法。
【請求項６】
請求の範囲第１項記載の方法において、上記代替端末は上記ＭＳＣに接続されるようにした方法。
【請求項７】
請求の範囲第１項記載の方法において、決定する上記ステップが、上記移動局に割り当てられる加入者種別を取り出すステップと、上記取り出された加入者種別に対して上記異なったルート決め処理が適用されるべきかどうかを決定するステップと、を更に具備する方法。
【請求項８】
特定の移動局（３０）に意図した入呼を代替端末（１４０）に再ルート決めする移動交換局ＭＳＣ（４０）において、上記入呼を上記移動局に供給するためのルート決め指令を要求する第１の信号（１６０）を受ける手段を具備しており、
更に、特徴として、
上記移動局が現在位置している特定のサービスエリアを決定する手段と、
上記特定のサービスエリアに対して異なったルート決め処理が適用されるべきかどうかを決定する（１３０）手段と、
肯定の決定に応答して、上記特定のサービスエリアに割り当てかつ上記代替端末を表すようにしたルート決めアドレス（１３５）を取り出し、上記入呼を上記代替端末にルート決めさせるように指令する第２の信号（１７０）を送出する手段であって、上記第２の信号（１７０）は上記ルート決めアドレスを含む上記送出する手段と、を具備するＭＳＣ。
【請求項９】
請求の範囲第８項記載のＭＳＣにおいて、上記特定のサービスエリアが、ローカルアクセストランスポートエリア（ＬＡＴＡ）、移動交換局（ＭＳＣ）エリア、ロケーションエリア（ＬＡ）、またはセルエリア（ＣＡ）、からなる群から選択された移動サービスエリアであるＭＳＣ。
【請求項１０】
請求の範囲第８項記載のＭＳＣにおいて、上記代替端末はアナウンスマシンを有するＭＳＣ。
【請求項１１】
請求の範囲第８項記載のＭＳＣにおいて、上記代替端末はオペレータ端末を有するＭＳＣ。
【請求項１２】
請求の範囲第８項記載のＭＳＣにおいて、上記代替端末は構内交換機（ＰＢＸ）を有するＭＳＣ。
【請求項１３】
請求の範囲第８項記載のＭＳＣにおいて、上記代替端末は上記ＭＳＣに関連するようにしたＭＳＣ。
【請求項１４】
請求の範囲第８項記載のＭＳＣにおいて、上記移動局には特定の加入者種別が割り当てられ、決定する上記手段は、上記異なったルート決め処理が上記特定の加入者種別を有する上記移動局に向けて適用されるべきかどうかを決定する手段を更に具備するようにしたＭＳＣ。
【請求項１５】
移動電気通信システムにおいて、複数のサービスエリアをサービスする電気通信ノードであって、上記複数のサービスエリアのうちのある１つが入呼を着信させるための代替ルート決め指令を受けるようにされている電気通信ノード（４０）と、
上記複数のサービスエリアのうちの上記ある一つに割り当てられたルート決めアドレスと関連する代替端末（１４０）と、
を具備しており、特徴として、
上記複数のサービスエリアのうちの上記ある１つ内に位置した移動局（３０）に入呼が着信されるべきかどうかを決定する手段と、
上記電気通信ノードに関連しており、上記移動局ではなく上記代替端末へ、上記代替ルート決め指令を用いて上記入呼を処理のためルート決めする手段と、を具備する移動電気通信システム。
【請求項１６】
請求の範囲第１５項記載の移動電気通信システムにおいて、ルート決めする上記手段が、
上記入呼を上記移動局に供給するためのルート決め指令を要求する第１の信号（１５０，１６０）を送出するゲートウェイ移動交換局ＧＭＳＣ（８０）と、
上記第１の信号に応答する移動交換局ＭＳＣ（４０）と、
を具備しており、この移動交換局が、
上記移動局に対して上記代替ルート決め指令が与えられるべきかどうかを決定する（１３０）手段と、
肯定の決定に応答して、上記入呼を上記代替端末にルート決めさせることを指令するような第２の信号（１７０，１８０）を上記ＭＳＣにより送出する手段であって、上記第２の信号はルート決め指令を含む上記送出する手段と、を具備する移動電気通信システム。
【請求項１７】
請求の範囲第１５項記載の移動電気通信システムにおいて、上記複数のサービスエリアが、ローカルアクセストランスポートエリア（ＬＡＴＡ）、移動交換局（ＭＳＣ）エリア、ロケーションエリア（ＬＡ）、またはセルエリア（ＣＡ）、からなる群から選択された移動サービスエリアである移動電気通信システム。
【請求項１８】
請求の範囲第１５項記載の移動電気通信システムにおいて、上記代替端末はアナウンスマシンを有する移動電気通信システム。
【請求項１９】
請求の範囲第１５項記載の移動電気通信システムにおいて、上記代替端末はオペレータ端末を有する移動電気通信システム。
【請求項２０】
請求の範囲第１５項記載の移動電気通信システムにおいて、上記代替端末は構内交換機（ＰＢＸ）を有する移動電気通信システム。
【請求項２１】
請求の範囲第１５項記載の移動電気通信システムにおいて、決定する上記手段が、上記移動局が現在位置している、上記複数のサービスエリアのうちの１つを決定する手段と、上記複数のサービスエリアのうちの上記１つと関連した上記代替端末を決定する手段と、を更に具備する移動電気通信システム。
【請求項２２】
請求の範囲第１５項記載の移動電気通信システムにおいて、上記移動局は加入者種別値と関連し、決定する上記手段は、上記入呼が上記加入者種別に対してルート決めされるべきかどうかを決定する手段を更に具備する移動電気通信システム。
【発明の詳細な説明】
発明の背景
発明の技術的分野
本発明は移動電気通信システムに関し、より詳細には被呼出移動局のサービスエリアに基づいて入呼に対して異なった着信呼処理を与えることに関する。
関連技術の説明
電気通信システム内で入呼に対して異なった着信呼処理を与えることは周知である（例えば、ＥＰ０，６３１，４５２Ａ２参照）。例えば、特定の加入者に意図された入呼はその加入者の指定番号回送アナウンスマシンあるいは応答マシンに回送されることができる。更にまた、呼出人に関連した加入者番号に応じて、入呼は選択的にスクリーニングされたり、拒絶されることもできる。意図された加入者は入呼の種別あるいは加入者番号に応じて異なったリング信号を受けることも可能である。
これらの異なった着信呼処理は各加入者あるいは加入者群毎に割り当てられて与えられる。例えば、電気通信の加入者は入呼を特定の回送番号に再ルート決めするために自己のサービスプロバイダと加入契約を持つ必要がある。このような加入サービスは呼回送否定応答（Call Forwarding Don't Answer）（ＣＦＤＡ）、呼回送話中（Call Forwarding Busy）（ＣＦＢ）、呼回送可変（Call Forwarding Variable）（ＣＦＶ）等を含んでいる。
有線電気通信システムと異なり、移動電気通信システムでは特定のサービスエリア内で移動加入者に移動サービスを与えるために利用可能なチャンネルの数は制限されている。ある場合に、特にサービス利用のピーク時には、全てのチャンネルが利用されているために、移動加入者は往々移動電気通信サービスにアクセスすることができなくなる。
しかしながら、緊急の場合には、輻輳によるサービスのこのような欠如は好ましくなく、移動加入者が緊急あるいは高優先度の出呼を行なうことができるように利用可能なあるアクセスチャンネルを残しておくことが望まれることとなろう。
このような緊急の状況の例は特定の移動サービスエリアを含む地震とか大きな市民的不安である。これらの状況においては、その特定の移動サービスエリアに存在する全ての移動局が影響を受け、その結果サービス中移動電気通信網のプロバイダは移動加入者が緊急あるいは高優先度の出呼を行なうことができるように無線チャンネルを開いておきたいと思うであろう。しかしながら、緊急時にその特定の移動サービスエリアに着信する入呼はこれらのあるチャンネルを好ましくなく奪い取ってしまう。例えば、移動加入者の意図した人に緊急の状況を通知する時に、より多数の入呼が加入者の安全を知るために発生される傾向がある。緊急状況を含むサービスエリアに向けられるこのような入呼を着信する際に制御が行なわれると便利である。
入呼の着信時のこの制御は他の状況においても同様にある利益を与えることができる。このような状況は大きな会議あるいは会合が特定のエリアで開かれている場合である。大事な行為を妨害しないようにこの特定のエリアへの入呼の着信を阻止することが必要である。換言すれば、このエリア内には「静止」域が必要である。呼をこのエリアに着信させるように試みる場合に、例えばオペレータまたはアナウンスマシンに再ルート決めすることが好ましいこととなる。
発明の概要
本発明はある特定のサービスエリア内に位置した移動局のために意図された入呼に対して異なった呼処理を与える方法および装置を開示する。代替端末を表すルート決めアドレスが特定のサービスエリアに割り当てられる。緊急または他の指定の状況の場合に、この特定のサービスエリアに向けて着信する全ての入呼はその特定のルート決めアドレスをサービス中移動交換局（mobile switching center）（ＭＳＣ）からサービス中ゲートウェイ移動交換局（gateway mobile switching center）（ＧＭＳＣ）に伝送することによって代替端末に再ルート決めされる。ＧＭＳＣは受けたルート決めアドレスを使用し、それに従って指示された代替端末へ入呼をルート決めする。次いで、代替端末はなぜ呼出が再ルート決めされたかを呼出人に通知し、また付加的な通知をも与える。
代替端末はアナウンスマシン、応答マシン、オペレータ端末または構内交換機（ＰＢＸ）とされ得る。更にまた、代替端末はサービス中ＭＳＣと直接関連付けられることができる。他の実施例として、代替端末もサービス中移動電気通信網に接続した分離ノードに関連付けられることができる。
【図面の簡単な説明】
本発明の方法および装置のより完全な理解は以下の添付図面に関連して後の詳細な説明を参照することにより得られることであろう。
図１は多数の公衆陸上移動通信網（Public Land Mobile networks）（ＰＬＭＮ）の公衆電話交換網（Public Switched Telephone Network）（ＰＳＴＮ）への網相互接続を示すブロック図である。
図２は多数の移動交換局（ＭＳＣ）エリアを更に備えた単一のＰＬＭＮを示す図である。
図３は多数のロケーションエリア（ＬＡ）を更に備えた単一のＭＳＣを示す図である。
図４は多数のセルエリアを更に備えた単一のロケーションエリアを示す図である。
図５は本発明の教示による、入呼を代替端末に向けて再ルート決めするためのルート決め指令をＭＳＣとで通信するゲートウェイ移動交換局（ＧＭＳＣ）を示す図である。
図６は入呼を代替端末に向けて再ルート決めするためのルート決め指令をＭＳＣとで通信するゲートウェイ移動交換局（ＧＭＳＣ）を示す信号シーケンス図である。
図７はサービス中ＭＳＣに接続する代替端末を示すブロック図である。
図面の詳細な説明
図１は多数の公衆陸上移動通信網（ＰＬＭＮ）１０の公衆電話交換網（ＰＳＴＮ）２０への網相互接続を示すブロック図である。移動局３０（移動端末あるいは装置としても知られている）はホームＰＬＭＮ１０ａのようなＰＬＭＮ１０の１つと関連する。各ＰＬＭＮ１０内には、網がカバーする地理的エリアをサービスする多数の異なった移動交換局（ＭＳＣ）４０が存在する。移動局３０は空中通信リンク５０を介してＭＳＣ４０の１つと通信を行なう。この際に、１つのＰＬＭＮ１０によりサービスされる移動局３０はＰＳＴＮ２０に接続することによって他の有線および無線端末と通信を行なう。ＰＳＴＮ２０内のアクセスタンデム（ＡＴ）６０は１つのＰＬＭＮ１０から１つのＰＬＭＮ１０から発生された移動呼を、ＰＳＴＮ２０内の加入者線交換機（local exchanges）（ＬＥ）７０の１つでサービスされている有線端末にまたはゲートウェイ移動交換局（ＧＭＳＣ）８０により他のＰＬＭＮ１０にルート決めする。
移動局３０のために意図した入呼に対しては、この入呼は最初にホームＰＬＭＮ１０ａをサービスしているＧＭＳＣ８０ａにルート決めされる。ＧＭＳＣ８０ａは情報をルート決めすることを要求する信号を、その移動局３０のためのホーム位置・レジスタ（home location register）（ＨＬＲ）９０に送る。ＨＬＲ９０は加入者情報を記憶しており、移動局３０の現在の位置のトラックを保持している。どのＭＳＣが現在その移動局３０をサービスしているかを決定した後に、ＨＬＲ９０はサービス中ＭＳＣ４０ａにルート決め指令要求信号を送出する。サービス中ＭＳＣ４０ａは移動局の現在の位置を決定して、移動局を表すルート決めアドレスをＨＬＲ９０に戻す。ルート決めアドレスをＭＳＣ４０ａから受けた後に、ＨＬＲ９０はこの情報をＧＭＳＣ８０ａに戻すように更に送出を行なう。受信したルーチングアドレスを使用して、ＧＭＳＣ８０ａは入呼を指示されたＭＳＣ４０ａに送出する。次いで、サービス中ＭＳＣ４０ａはページングを行ない、そのＭＳＣサービスエリアに関連した位置にある移動局３０との音声接続を確立する。
ここで、図２を参照すれば、そこには１つの特定のＰＬＭＮ１０内の多数のＭＳＣエリア９５の図が示されている。ＰＬＭＮ網１０は多数のＭＳＣ４０、ＶＬＲ１００、ＨＬＲ（図２には示されていない）、ゲートウェイＭＳＣ（ＧＭＳＣ）８０とを備えている複雑な構造をしている。呼を特定のＰＬＭＮ内に位置したＭＳに適切に切り替えるために、正しいエンティティが行なわれ、呼プロセスに含まれる必要がある。個々のＰＬＭＮ１０は１つあるいはそれ以上の単ローカルアクセストランスポートエリア（ＬＡＴＡ）の部分を含んでもよい。現在全米に渡って３００以上のＬＡＴＡが定められている。図２に示されるように、各ＬＡＴＡには多数のＭＳＣ／ＶＬＲエリアがあり、それぞれは個別のＭＳＣ／ＶＬＲによりサービスされている（通常、ＭＳＣおよびそのＶＬＲ間で１対１の関係があり、往々集合的にＭＳＣ／ＶＬＲと呼ばれている）。
図３は１つの特定のＭＳＣエリア９５内の多数のロケーションエリア１１０Ａ〜１１０Ｆを示している。ロケーションエリアはＭＳＣサービスエリアの一部であり、そこでは移動局はそのロケーションエリアをサービスするＭＳＣ／ＶＬＲに対する位置情報を更新することなく自由に移動することができる。従って、ロケーションエリアはページングメッセージが被呼出移動局を見い出すために報知されるようなエリアである。各ロケーションエリアを識別するロケーションエリア識別（ＬＡＩ）が活動状態の移動局を探索するために移動網において使用される。
図４を参照すると、それぞれのロケーションエリア１１０は多数のセルエリア１２０Ａ〜１２０Ｆに更に分割されている。同様、ロケーションエリア１１０内のこれらセルエリアは同一のＭＳＣ４０およびＶＬＲ１００によってサービスされる。サービス中移動網はセルグローバル識別（ＣＧＩ）を用いてセルエリアとして知られている特定の無線通達範囲エリアを識別する。単一のロケーションエリア内の異なったセルエリアは各サービス中基地局に割り当てられた基地局識別コード（ＢＳＩＣ）を用いて区別される。
ここで、図５および図６を共に参照すれば、そこには本発明の教示に従って入呼を代替端末１４０に向けて再ルート決めするルート決め指令をＭＳＣ４０と通信するＧＭＳＣ８０が示されている。移動局３０に向けられる入呼は、最初に、移動局３０をサービスするホームＨＬＲ９０に関連したＧＭＳＣ８０で受信される。移動局サービス総合デジタル網（ＭＳＩＳＤＮ）として知られているこの受信加入者番号を解析することによって、ＧＭＳＣ８０は意図した移動局と関連するＨＬＲを表す網アドレスを決定し、決定されたＨＬＲ９０にルート決め指令を要求する信号１５０を送出する。ＨＬＲ９０はどのＭＳＣ／ＶＬＲ４０が現在移動局３０をサービスしているかを表す情報を記憶しており、次いでルート決め指令を要求する信号１６０を適切なＭＳＣ／ＶＬＲ４０に送出する。ルート決め指令を要求するこの信号を受信した後に、サービス中ＭＳＣ／ＶＬＲは、現在移動局３０をサービスしている特定のセルを決定することによって移動局３０が現在位置している地理的エリアを決定する。図３−図４に示されるように、サービス中セルを決定することによって、サービス中ＭＳＣ／ＶＬＲはどのセルエリア、ロケーションエリア、ＭＳＣエリアおよびＬＡＴＡが現在移動局３０をカバーしているかを決定することができる。移動局３０の現在の位置を決定した後、サービス中ＭＳＣ／ＶＬＲ４０内のアピリケーションモジュール１３０は、異なった呼処理がこの特定のサービスエリアに着信する入呼に対して適用されるべきかどうかを決定する。
例えば、移動局３０の現在の位置を決定した後に、ＭＳＣ／ＶＬＲ４０は、代替端末１４０を表すルート決めアドレスが特定のサービスエリアに割り当てられているかどうか、並びにその呼処理が与えられるべきかどうかを決定する。これは、特定のサービスエリアへの呼の着信についての制限が与えられるような緊急時に行なわれてもよい。更にまた、移動加入者およびその関連した移動局には多数の異なった加入者種別が割り当てられることができる。目標サービスエリア内の移動局３０に割り当てられた特定の加入者種別に応じて、変更した呼処理が選択的に適用され得る。特定の加入者種別を移動局３０に割り当てることによって、移動局３０はアプリケーションモジュール１３０による、変更した呼処理の適用にも拘らず依然として特定のサービスエリア内の入呼を受けることが可能である。
肯定的な決定に応答して、入呼の移動局３０への供給を行なうために移動局３０を表すルート決めアドレスを送出せずに、記憶レジスタ（Ｒ）１３５に記憶されているルート決めアドレスが取り出され、信号１７０により要求ＨＬＲ９０に送出される。ＨＬＲ９０は信号１８０により元のＧＭＳＣ８０にルート決めアドレスを含んだ信号をそのまま送る。信号１８０を受けた後に、ＧＭＳＣ８０は入呼を代替端末１４０に、ＭＳＣ／ＶＬＲ４０によって送出されたルート決めアドレス（信号１９０）によって表されるように再ルート決めする。
代替端末１４０は、呼出人の呼がなぜ転送されたかを呼出人に通知しかつ例えばサービスエリアをカバーする緊急状況に関する情報を更に与えるアナウンスマシンであってもよい。また、代替端末１４０は生体のオペレータが呼に答えかつ必要な情報を与えることができるようなオペレータ端末からなってもよい。他の実施例として、代替端末は多数の上述したアナウンスマシンまたはオペレータが同時に設けられ得るような構内交換機（ＰＢＸ）を有する。
本発明の教示に従った開示のサービスエリアはＬＡＴＡ、ＭＡＣ／ＶＬＲエリア、ロケーションエリア（ＬＡ）およびセルエリアを含んでいる。例えば、各移動サービスプロバイダＰＬＭＮは少なくとも１つのＬＡＴＡに関連する。代替端末１４０を表すルート決めアドレスを特定のＬＡＴＡエリアに割り当てることによって、特定のＬＡＴＡエリア内に着信する全ての入呼はスクリーニングされ、そして代替端末１４０にルート決めされることができる。各ＰＬＭＮは多数のＭＳＣ／ＶＬＲエリアに更に細分される。代替端末１４０を表すルート決めアドレスを特定のＭＳＣ／ＶＬＲエリアに割り当てることにより、特定のＭＳＣ／ＶＬＲエリア内に着信する全ての入呼は代替端末１４０に再ルート決めされる。更にまた、各ＭＳＣ／ＶＬＲエリアも多数のロケーションエリアに細分される。同様に、代替端末１４０を表すルート決めアドレスを特定のロケーションエリアに割り当てることにより、特定のロケーションエリア内に着信する全ての入呼には異なった着信呼処理が与えられ得る。最後に、各ロケーションエリアは多数のセルエリアに更に細分される。代替端末１４０を表すルート決めアドレスを特定のセルエリアに割り当てることにより、この特定のセルエリア内で着信する全ての入呼にも異なった呼処理が与えられることができる。
ここで、図７を参照すると、そこにはサービス中ＭＳＲ／ＶＬＲ４０に接続する代替端末１４０を表すブロック図が示されている。外部ノードとしてのホームＰＬＭＮと関連せずに、代替端末１４０はＭＳＣ／ＶＬＲに接続されてそれによりサービスされる。図５で説明したように、入呼は最初にＧＭＳＣ８０で受信される。ＧＭＳＣ８０はルート決め指令を要求する信号１５０をサービス中ＨＬＲ９０に送る。次いで、サービス中ＨＬＲ９０はルート決め指令を要求する信号１６０をサービス中ＭＳＣ／ＶＬＲに送る。サービス中ＭＳＣ／ＶＬＲ４０内のアプリケーションモジュール１３０は、移動局３０が現在位置している特定のサービスエリアに対して異なった呼処理が与えられる必要があることを決定する。次いで、アプリケーションモジュール１３０は代替端末１４０を表すルート決めアドレスを記憶レジスタ１３５から取り出す。しかしながら、代替端末１４０はサービス中ＭＳＣ／ＶＬＲ４０に直接接続されており、ルート決めアドレスはＭＳＣ／ＶＬＲそれ自体によって取り扱われる内部アドレスの１つを表す。ルート決めアドレスはＨＬＲ９０に信号１７０により供給され、次いで信号１８０によりＧＭＳＣ８０にルート決めされる。ページングも行なわず、入呼を特定のサービスエリアに位置した移動局に結合もせずに、ＭＳＣ／ＶＬＲ４０は入呼を受信ルート決めアドレスによって表されている代替端末１４０に結合する。この結果、特定のサービスエリアに対して異なった呼処理が与えられる必要があることをアプリケーションモジュール１３０が決定したら、ＨＬＲ９０およびＧＭＳＣ８０は入呼を異なった端末にルート決めさせずに、発生されたルート決めアドレスによって指示されるようにその呼をそのまま処理する。
本発明の方法および装置の好適実施例が添付図面に示されかつ以上の詳細な説明に記載されたが、この発明は開示された実施例には限定されず、以下の請求の範囲に記載されかつ定められる発明の精神から逸脱することなく多くの再構成、変更および置換が可能であることを理解することであろう。
【図１】
0003955331.tif 000002
【図２】
0003955331.tif 000003
【図３】
0003955331.tif 000004
【図４】
0003955331.tif 000005
【図５】
0003955331.tif 000006
【図６】
0003955331.tif 000007
【図７】
0003955331.tif 000008